(57)【要約】【課題】テープの引き出しや切断時に動きにくく、軽量のテープカッターを提供する。【解決手段】テープカッター１０は、床面に載置される脚部２０と、脚部２０の長さ方向の一端側から上方に延びる支持部３０と、支持部３０から上方に延び、先端部にテープリール７０が保持されるリール取付部４０と、支持部３０から脚部２０の長さ方向の他端側に延び、先端部にカッター６２が保持されるカッター部５０とを備え、カッター部５０の先端部はテープリール７０の軸芯より下方に位置する。【選択図】図１
2016016936.tif 000002
【特許請求の範囲】
【請求項１】
床面に載置される脚部と、
前記脚部の長さ方向の一端側から上方に延びる支持部と、
前記支持部から上方に延び、一対の第１及び第２のリール取付構造体から構成され、一対の前記第１及び第２のリール取付構造体の先端部にテープリールが保持されるリール取付部と、
前記支持部から前記脚部の長さ方向の他端側に延び、先端部にカッターが保持されるカッター部とを備え、
前記カッター部の先端部は前記テープリールの軸芯より下方に位置するテープカッター。
【請求項２】
前記カッター部の先端部は、前記テープリールの軸芯と前記脚部の長さ方向の他端部とを結ぶ線よりも一端側に位置する請求項１に記載のテープカッター。
【請求項３】
前記カッター部が延びる方向は、前記テープリールの軸芯と前記カッター部の先端部とを結ぶ線に対して垂直である請求項１または２に記載のテープカッター。
【請求項４】
前記支持部は、前記脚部の長さ方向の他端側に傾いて延び、
前記リール取付部は、前記支持部の延長線上に沿って前記脚部の長さ方向の他端側に傾いて延び、または前記脚部の長さ方向に対して垂直方向に延びる請求項１から３のいずれかに記載のテープカッター。
【請求項５】
前記支持部は、前記脚部の長さ方向に対して垂直方向に延び、
前記リール取付部は、前記垂直方向に延び、または前記脚部の長さ方向の他端側に傾いて延びる請求項１から３のいずれかに記載のテープカッター。
【請求項６】
前記支持部は、前記脚部の長さ方向の一端部から延びる請求項４または５に記載のテープカッター。
【請求項７】
前記支持部は、前記脚部の長さ方向の一端側の途中位置から延びる請求項４または５に記載のテープカッター。
【請求項８】
前記脚部は、
一対の脚片と、
前記脚片の長さ方向の一端側を連結する脚連結部とを備え、
前記支持部は前記脚連結部から延びる請求項１から７のいずれかに記載のテープカッター。
【請求項９】
前記脚部は、二股状に分岐した一対の脚片から構成され、
前記支持部は前記脚部の分岐点から延びる請求項６に記載のテープカッター。
【請求項１０】
前記脚部は、略矩形状の平板から構成される請求項６または７に記載のテープカッター。
【請求項１１】
射出成形で得られる第１及び第２のテープカッター構成体を組み合わせることで形成されるテープカッターであって、
前記床面に載置される一対の前記脚片が相対する方向を幅方向と称する場合に、
前記脚部は、前記幅方向に分割された一対の第１及び第２の脚部構成体から形成され、
前記支持部は、前記幅方向に分割された一対の第１及び第２の支持部構成体から形成され、前記第１の支持部構成体は前記第１の脚部構成体から延び、前記第２の支持部構成体は前記第２の脚部構成体から延び、
前記リール取付部は、前記幅方向に相対する一対の第１及び第２のリール取付部構成体から形成され、前記第１のリール取付部構成体は前記第１の支持部構成体から延び、前記第２のリール取付部構成体は前記第２の支持部構成体から延び、
前記カッター部は、前記幅方向に分割された一対の第１及び第２のカッター部構成体から形成され、前記第１のカッター部構成体は前記第１の支持部構成体から延び、前記第２のカッター部構成体は前記第２の支持部構成体から延び、
前記第１のテープカッター構成体は、前記第１の脚部構成体と、前記第１の支持部構成体と、前記第１のリール取付部構成体と、前記第１のカッター部構成体とを一体に射出成形したものであり、
前記第２のテープカッター構成体は、前記第２の脚部構成体と、前記第２の支持部構成体と、前記第２のリール取付部構成体と、前記第２のカッター部構成体とを一体に射出成形したものである請求項１から１０のいずれかに記載のテープカッター。
【請求項１２】
前記支持部に錘が収容される錘収容部が形成された請求項１から１１のいずれかに記載のテープカッター。
【発明の詳細な説明】
【技術分野】
【０００１】
本発明は、テープの引き出しや切断時にも動きにくく、軽量小型のテープカッターに関する。
【背景技術】
【０００２】
従来より、例えば図８に示す構成の卓上テープカッターが知られている。該テープカッター１００は床面に安定した状態で置かれており、上方が開放された収容空間１１１が形成されたケース本体１１０と、収容空間１１１に収容され、支持部１１２によりケース本体１１０に回転自在に支持されたテープリール１２０と、ケース本体１１０の一端部に設けられた切断刃１３０とを備えている。
テープリール１２０は、その外周面にロール状に巻き回されたテープＴが嵌め込まれており、引き出されたテープＴは切断刃１３０により切断される。
【０００３】
この種のテープカッター１００においては、テープＴは水平方向に引き出されて切断刃１３０により切断されるが、テープの引き出しの際に、ケース本体１１０に加わる水平方向の力によってケース本体１１０が動いてしまう場合がある。これを防ぐために、ケース本体１１０の内部に錘１４０を収容してテープカッター１００の重量を大きくしている。
【発明の概要】
【発明が解決しようとする課題】
【０００４】
しかし、従来のテープカッター１００では、上述のように、大きい重量の錘１４０を収容する必要があるため、テープカッター１００の重量が大きくなり、テープカッター１００の向きを変えたり手元に移動させることが容易ではない。また、近年では粘着力のより強いテープＴが用いられるようになっており、錘１４０を備えたテープカッター１００であっても、テープＴの引き出しの際にテープカッター１００が動いてしまう場合がある。
【０００５】
本発明は、上記した課題に着目してなされたものであり、軽量で持ち運びがしやすく、かつ、テープの引き出しの際にケース本体が動きにくいテープカッターを提供することを目的とする。
【課題を解決するための手段】
【０００６】
本発明の上記目的は、床面に載置される脚部と、前記脚部の長さ方向の一端側から上方に延びる支持部と、前記支持部から上方に延び、一対の第１及び第２のリール取付構造体から構成され、一対の前記第１及び第２のリール取付構造体の先端部にテープリールが保持されるリール取付部と、前記支持部から前記脚部の長さ方向の他端側に延び、先端部にカッターが保持されるカッター部とを備え、前記カッター部の先端部は前記テープリールの軸芯より下方に位置するテープカッターにより達成される。
【０００７】
テープリールに保持されたテープは、従来のテープカッターのように水平方向ではなくカッター部の先端部に向けて下方に引き出される。このため、テープが引き出される力によってテープカッターは床面に押さえつけられ、テープカッターが動きにくくなる。従って、錘の重量を小さくすることができ、従来のテープカッターのように重量の大きい錘を備える必要がない。このため、テープカッターを軽量化することができ、持ち運びがしやすくなる。
【０００８】
また、支持部が脚部の長さ方向の一端側から上方に延びており他端側からは延びていないため、テープの引き出しの時に、テープをつまむ手が位置する空間を脚部の長さ方向の他端側の上方に確保することができる。このため、テープの引き出しを容易に行うことができる。
【０００９】
この実施態様においては、前記カッター部の先端部は、前記テープリールの軸芯と前記脚部の長さ方向の他端部とを結ぶ線Ａよりも一端側に位置することを特徴としている。
【００１０】
仮に、カッター部の先端部が線Ａよりも他端側に位置すると、テープが引き出される方向の延長線上には、脚部の他端部よりもさらに他端側の床面が位置するため、テープカッターが他端側に倒れやすくなる。
しかし、本発明において、テープの引き出し時にカッター部の先端部と線Ａとの間にテープを位置させることで、テープが引き出される方向の延長線上には、側面視において脚部が位置する。このため、テープが引き出される力によってテープカッターが床面に押さえつけられ、テープカッターが動きにくくなる。
【００１１】
また、この実施態様においては、前記カッター部が延びる方向は、前記テープリールの軸芯と前記カッター部の先端部を結ぶ線Ｂに対して垂直であることを特徴としている。
【００１２】
カッターは、その刃部がカッター部が延びる方向に平行となるようにカッター部に保持されている。そして、テープの切断時には、線Ｂの方向にテープが引き出された状態となるので、カッターの刃部がテープに対して垂直となり、小さい力でテープを切断することができる。
【００１３】
前記支持部は、前記脚部の長さ方向の他端側に傾いて延び、前記リール取付部は、前記支持部の延長線上に沿って前記脚部の長さ方向の他端側に傾いて延び、または前記脚部の長さ方向に対して垂直方向に延びてもよい。
【００１４】
また、前記支持部は、前記脚部の長さ方向に対して垂直方向に延び、前記リール取付部は、前記垂直方向に延び、または前記脚部の長さ方向の他端側に傾いて延びてもよい。
【００１５】
さらに、前記支持部は、前記脚部の長さ方向の一端部から延びてもよい。
【００１６】
また、前記支持部は、前記脚部の長さ方向の一端側の途中位置から延びてもよい。
【００１７】
前記脚部は、一対の脚片と、前記脚片の長さ方向の一端側を連結する脚連結部とを備え、前記支持部は前記脚連結部から延びてもよい。
【００１８】
前記脚部は、二股状に分岐した一対の脚片から構成され、前記支持部は前記脚部の分岐点から延びていてもよい。
【００１９】
本発明のテープカッターは、床面に載置するのではなく、一方の手でテープを引き出し、他方の手で支持部を保持してもよい。このとき、テープリールに保持されたテープを脚部を超えて長く引き出したときには、一対の脚片の間の空間にテープを通して、カッター部のカッターにテープを接触させ、テープを切断する。このように、脚部に一対の脚片を備えて一対の脚片の間に形成される空間にテープを通すことで、長く引き出したテープを切断することが可能となる。
【００２０】
また、前記脚部は、略矩形状の平板であってもよい。
【００２１】
この実施態様においては、射出成形で得られる第１及び第２のテープカッター構成体を組み合わせることで形成されるテープカッターであって、前記床面に載置される一対の前記脚片が相対する方向を幅方向と称する場合に、前記脚部は、前記幅方向に分割された一対の第１及び第２の脚部構成体から形成され、前記支持部は、前記幅方向に分割された一対の第１及び第２の支持部構成体から形成され、前記第１の支持部構成体は前記第１の脚部構成体から延び、前記第２の支持部構成体は前記第２の脚部構成体から延び、前記リール取付部は、前記幅方向に相対する一対の第１及び第２のリール取付部構成体から形成され、前記第１のリール取付部構成体は前記第１の支持部構成体から延び、前記第２のリール取付部構成体は前記第２の支持部構成体から延び、前記カッター部は、前記幅方向に分割された一対の第１及び第２のカッター部構成体から形成され、前記第１のカッター部構成体は前記第１の支持部構成体から延び、前記第２のカッター部構成体は前記第２の支持部構成体から延び、前記第１のテープカッター構成体は、前記第１の脚部構成体と、前記第１の支持部構成体と、前記第１のリール取付部構成体と、前記第１のカッター部構成体とを一体に射出成形したものであり、前記第２のテープカッター構成体は、前記第２の脚部構成体と、前記第２の支持部構成体と、前記第２のリール取付部構成体と、前記第２のカッター部構成体とを一体に射出成形したものであることを特徴としている。
【００２２】
前記構成によれば、第１と第２のテープカッター構成体は、それぞれ第１と第２の脚部構成体と、第１と第２の支持部構成体と、第１と第２のリール取付部構成体と、第１と第２のカッター部構成体とが一体に形成されている。このため、第１と第２の脚部構成体と、第１と第２の支持部構成体と、第１と第２のリール取付部構成体と、第１と第２のカッター部構成体とをそれぞれ別体として組み立てる場合に比べ、部品点数を少なくすることができる。
また、テープカッターを一体物として射出成形するのではなく、テープカッターの部品である第１と第２のテープカッター構成体をそれぞれ射出成形し、これらを組み立てることでテープカッターを形成しているので、射出成形に用いる金型を簡易なものとすることができる。
【００２３】
また、本発明のテープカッターを、一体物として射出成形等により成形してもよい。
【００２４】
この実施態様においては、前記支持部に錘が収容される錘収容部が形成されることを特徴としている。
【発明の効果】
【００２５】
本発明に係るテープカッターによると、テープが引き出される方向が従来のテープカッターのように水平方向ではなく下方であるため、テープが引き出される力によってテープカッターが床面に押さえつけられ、テープカッターが動きにくくなる。従って、錘の重量を小さくすることができ、従来のテープカッターのように重量の大きい錘を備える必要がなく、またテープカッターの底面とテープカッターが載置された床面との接触面積も小さくできるため、テープカッターを軽量化、小型化することができる。
また、支持部が脚部の長さ方向の一端側から上方に延びており、他端側からは延びていないため、脚部の長さ方向の他端側の上方に、テープをつまむ手が位置する空間を確保することができ、テープの引き出しや切断を容易に行うことができる。
【図面の簡単な説明】
【００２６】
【図１】本発明の一実施形態に係るテープカッターを示す斜視図である。
【図２】テープカッターの分解斜視図である。
【図３】テープカッターの側面図である。
【図４】リール取付部の要部の斜視図である。
【図５】カッター部の要部の斜視図である。
【図６】本発明の他の実施形態に係るテープカッターを示す側面図である。
【図７】本発明の他の実施形態に係るテープカッターを示す側面図である。
【図８】従来技術のテープカッターを示す側面図である。
【発明を実施するための形態】
【００２７】
以下、本発明の実施形態について、添付図面を参照しながら説明する。
図１に示すように、テープカッター１０は、床面Ｓに載置される脚部２０と、支持部３０と、リール取付部４０と、カッター部５０とを備えている。
【００２８】
脚部２０は、一対の第１及び第２の脚片２１Ａ，２１Ｂと、脚片２１Ａ，２１Ｂの長さ方向の一端側を連結する脚連結部２２とを備えている。
脚片２１Ａ，２１Ｂの内部には、強度を補強するためのリブ２１ａが形成されている。
脚片２１Ａ，２１Ｂの底面には、樹脂製の滑り止め６０Ａ，６０Ｂが粘着テープ等で取り付けられており、滑り止め６０Ａ，６０Ｂが床面Ｓと接触している。
【００２９】
以下、脚部２０（脚片２１Ａ，２１Ｂ）の長さ方向の一端側を一端側と称し、脚部２０（脚片２１Ａ，２１Ｂ）の長さ方向の他端側を他端側と称する。また、床面Ｓに載置される一対の脚片２１Ａ，２１Ｂが相対する方向（脚片２１Ａ，２１Ｂの長さ方向に対して垂直の方向）を幅方向と称する。
【００３０】
支持部３０は、脚部２０の一端側の端部から上方に延びており、脚部２０の他端側に傾いている。支持部３０は、脚片２１Ａ，２１Ｂの一端部から延びる一対の第１及び第２の支持側部３１Ａ，３１Ｂと、脚部連結部２２の一端部から延び、支持側部３１Ａ，３１Ｂの間を連結する支持連結部３２から構成されている。すなわち、図３に示すように、支持部３０が脚部２０の一端側から他端側に傾いて延びることで、支持部３０と脚部２０との間には空間Ｅ１が形成される。
図２に示すように、支持連結部３２には、錘６１が収容される錘収容部３４が形成されている。
【００３１】
リール取付部４０は、支持部３０の第１及び第２の支持側部３１Ａ，３１Ｂの先端部から脚部２０の長さ方向に対して垂直方向（鉛直上方）に延びる一対の第１及び第２のリール取付部構成体４０Ａ，４０Ｂから形成されている。
図２に示すように、リール取付部構成体４０Ａ，４０Ｂの内部には、強度を補強するためのリブ４０ａが形成されている。
各リール取付部構成体４０Ａ，４０Ｂの先端部の間には、テープリール７０が回転可能及び着脱可能に保持されている。
【００３２】
図２に示すように、テープリール７０は、大巻リール７１と、小巻リール７２と、一対の小巻リール係止部７３とから構成される。大巻リール７１の外周面には、ロール状に巻回されたテープＴが着脱可能に保持される。また、大巻リール７１の軸芯には大巻リール筒体７１ａが設けられており、該筒体７１ａに小巻リール７２が嵌め込まれている。小巻リール７２の軸芯には小巻リール筒体７２ａが設けられている。一対の小巻リール係止部７３，７３は、それぞれ、円形の鍔部７３ｂ，７３ｂと、鍔部７３ｂ，７３ｂの中心から延びる軸部７３ａ，７３ａとから構成されており、軸部７３ａ，７３ａは小巻リール筒体７２ａの両端の開口に嵌め込まれる。
なお、大巻リール７１を用いず、小巻リール７２の外周面にテープＴを保持させてもよい。
【００３３】
図４は、各リール取付部構成体４０Ａ，４０Ｂの先端部の壁４０ｅ(後述)の一部を切り欠いた図である。各リール取付部構成体４０Ａ，４０Ｂの先端部は、それぞれ、内側壁４０ｂと、内側壁４０ｂと相対する外側壁４０ｃと、内側壁４０ｂの他端側の端と外側壁４０ｃの他端側の端とを連結する連結壁４０ｄと、内側壁４０ｂの上端と外側壁４０ｃの上端と連結壁４０ｄの上端と連結する先端壁４０ｅを備えている。内側壁４０ｂと外側壁４０ｃとの間には一端側が開放された空間が設けられており、該空間には、一端側から小巻リール係止部７３，７３の鍔部７３ｂ，７３ｂが挿入される。
【００３４】
内側壁４０ｂには、テープリール７０を支持する切込み部４１が設けられている。
切り込み部４１は、一端側が開口し、一端側から他端側に向かって延びるガイド切り込み４１ａと、ガイド切り込み４１ａの他端側から下方に延びる半円状の支持切り込み４１ｂとから形成される。ガイド切り込み４１ａの上下方向の幅や支持切り込み４１ｂの直径は、テープリール７０の小巻リール筒体７２ａの直径よりも若干大きく、テープリール７０の鍔部７３ｂの直径よりも小さい。
【００３５】
小巻リール７２の小巻リール筒体７２ａは、ガイド切り込み４１ａに挿入され支持切り込み４１ｂに回転可能に支持される。
このように、小巻リール筒体７２ａが支持切り込み４１ｂに支持された状態では、各リール取付部構成体４０Ａ，４０Ｂに対してこれらの間隔が広がる方向に力が加わった場合であっても、内側壁４０ｂと外側壁４０ｃとの間に鍔部７３ｂ，７３ｂが挿入されているとともに、鍔部７３ｂ，７３ｂが各リール取付部構成体４０Ａ，４０Ｂの内側壁４０ｂとそれぞれ当接するため、テープリール７０がリール取付部４０から抜け落ちることがない。
【００３６】
カッター部５０は、図１、図３に示すように、支持部３０の先端部から脚部２０の長さ方向の他端側に延びており、カッター部５０の先端部（後述するカッター連結部５２の先端部やカッター側部５１Ａ，５１Ｂの先端部５１ａに相当）はテープリール７０の軸芯より下方に位置している。カッター部５０の先端部にはカッター６２が保持されている。
【００３７】
カッター部５０は、支持部３０の第１及び第２の支持側部３１Ａ，３１Ｂの先端部から他端側に延びる第１及び第２のカッター側部５１Ａ，５１Ｂと、支持部３０の支持連結部３２から他端側に延び、カッター側部５１Ａ，５１Ｂの間を連結するカッター連結部５２とから構成されている。すなわち、図３に示すように、カッター部５０の下方であり、カッター部５０と脚部２０との間には、空間Ｅ２が形成される。
【００３８】
図３に示すように、カッター側部５１の先端５１ａは、テープリール７０の軸芯と、脚部２０の長さ方向の他端部（脚部２０の長さ方向の他端における床面Ｓとの接点）とを結ぶ線Ａよりも一端側に位置している。
さらに、カッター部５０が延びる方向（図３中の破線矢印Ｄ）は、カッター部５０の先端部に係止されるカッター６２の刃部６２ａ（後述）の先端と、テープリール７０の軸芯とを結ぶ線Ｂに対して垂直としている。
【００３９】
図５に示すように、カッター６２は、断面Ｌ字形状の係止部６２ｂと、該係止部６２ｂの一辺６２ｃの端部に形成された刃部６２ａとを備えており、刃部６２ａは先端が尖鋭な複数の刃を有している。
また、カッター連結部５２の先端部には、溝５２ｃが形成されている。カッター連結部５２の溝５２ｃにカッター６２の断面Ｌ字形状の係止部６２ｂの他辺６２ｄを差し込むことで、カッター６２がカッター連結部５２の先端に係止される。このように、カッター６２が係止された状態では、カッター６２の刃部６２ａはカッター部５０が延びる方向に平行となっている。
また、カッター連結部５２の先端部には、テープリール７０から引き出されたテープＴを粘着保持する粘着保持部５２ｄが形成されている。
【００４０】
図３に示すように、上記の構成を備えたテープカッター１０においては、テープリール７０の軸芯から脚部２０の長さ方向に対して垂直方向に下ろした線と脚部２０の底面との交点Ｐは、脚部２０の一端と他端の間に位置している。さらに、カッター部５０の先端部は、テープリール７０の軸芯と、交点Ｐと、脚部２０の他端とを結ぶ三角形の内側に位置している。
【００４１】
次に、本発明のテープカッター１０の使い方について説明する。
本発明のテープカッター１０を床面Ｓに載置し、まず、一方の手でテープＴの先端をつまみ、テープＴを斜め下方に向けて引き出す。このとき、テープＴを引き出す方向を図３における線Ａよりも一端側とすることで、テープＴを引き出す力によりテープカッター１０が床面Ｓに押さえ付けられる。そして、カッター連結部５１の粘着保持部５２ｄにテープＴの切断部近傍を押し当て、テープＴの先端をつまんでいる手を、支持部３０と脚部２０との間の空間Ｅ１及びカッター部５０の下方の空間Ｅ２に位置させて、カッター６２に対してテープＴをひねるようにテープＴに力を加えることでテープＴを切断する。
【００４２】
また、他方の手で脚部２０を床面Ｓに押さえながら図３における線Ａよりも他端側にテープＴを引き出すことで、より長くテープＴを引き出すことができる。このように引き出されたテープＴを切断する際には、まず、カッター連結部５１の粘着保持部５２ｄにテープＴの切断部近傍を押し当て、次に、他方の手を脚部２０から離し、テープＴの切断部の近傍をつまむ。そして、他方の手でカッター６２に対してテープＴをひねるようにテープＴに力を加えることでテープＴを切断する。
【００４３】
また、テープカッター１０を手で持って使用することもできる。この場合、一方の手でテープＴを引き出し、他方の手で支持部３０を保持する。テープリール７０に保持されたテープＴを脚部２０を超えて長く引き出すときには、一対の脚片２１Ａ，２１Ｂの間の空間にテープＴを通して、カッター連結部５１の粘着保持部５２ｄにテープＴの切断部近傍を押し当てる。そして、一方の手でカッター６２に対してテープＴをひねるようにテープＴに力を加えることでテープＴを切断する。
このように、脚部２０に一対の脚片２１Ａ，２１Ｂを備えて一対の脚片２１Ａ，２１Ｂの間に形成される空間にテープＴを通すことで、長く引き出したテープＴを切断することが可能となる。
【００４４】
本発明に係るテープカッター１０によると、テープＴが引き出される方向が従来のテープリール１２０のように横方向ではなく下方であるため、テープＴが引き出される力によってテープカッター１０が床面Ｓに押さえつけられ、テープカッター１０が動きにくくなる。従って、錘６１の重量を小さくすることができ、従来のテープカッターのように重量の大きい錘を備える必要がない。またテープカッター１０の底面とテープカッター１０が載置された床面Ｓとの接触面積も小さくできるため、テープカッター１０を軽量化、小型化することができる。
また、支持部３０が脚部２０の長さ方向の一端側から上方に延びており他端側からは延びていないため、テープＴの引き出し時に、テープＴをつまむ手が位置する空間を脚部２０の長さ方向の他端側の上方に確保することができる。このため、テープＴの引き出しや切断を容易に行うことができる。
【００４５】
さらに、支持部３０が脚部２０の長さ方向の他端側に傾いて延びることで、支持部３０と脚部２０との間に空間Ｅ１が形成され、この空間Ｅ１はカッター部５０の下方の空間Ｅ２と連続する。従って、空間Ｅ１と空間Ｅ２をテープＴを切断する際に手をいれる空間として用いることができる。このように、支持部３０が脚部２０の長さ方向の他端側に傾いて延びることで、テープＴを切断する際に手をいれる空間が広がるため、テープＴを切断しやすくなる。
また、リール取付部４０が支持部３０の先端部から、脚部２０の長さ方向に対して垂直方向に延びているため、テープリール７０の軸芯が支持部３０の先端部より他端側に位置しないので、テープＴを引き出す際に他端側に倒れにくい。
【００４６】
さらに、カッター側部５１の先端５１ａは、テープリール７０の軸芯と、脚部２０の長さ方向の他端部（脚部２０の長さ方向の他端における床面Ｓとの接点）とを結ぶ線Ａよりも一端側に位置しているので、テープＴの引き出し時にカッター部５０の先端部と線Ａとの間にテープＴを位置させることで、図３に示すように、側面視においてテープＴの引き出される方向の延長線上に脚部２０が位置するようになる。このため、テープＴが引き出される力によってテープカッター１０が床面Ｓに押さえつけられ、テープカッター１０が動きにくくなる。
【００４７】
また、カッター部５０が延びる方向は、テープリール７０の軸芯とカッター部５０の先端部を結ぶ線Ｂに対して垂直であり、カッター６２の刃部６２ａはカッター部５０が延びる方向に平行となるようにカッター部５０に保持されている。そして、テープの切断時には、図３に示す線Ｂの方向にテープＴが引き出された状態となるので、カッター６２の刃部６２ａがテープに対して垂直となる。このため、小さい力でテープを切断することができる。
【００４８】
また、本実施形態では、テープリール７０の軸芯とカッター側部５１の先端５１ａとを結ぶ線Ｃと線Ａとのなす角度αを例えば５度以上としている。これにより、線Ｃと線Ａとの間の領域が広くなるため、使用者に確実にテープＴをカッター部５０の先端部と線Ａとの間に引き出させることができる。従って、テープＴが引き出される力を確実にテープカッター１０を動きにくくするために用いることができる。
【００４９】
さらに、５０メートル巻きのテープＴをテープリール７０に保持させた場合に、テープリール７０に巻かれたテープＴの外周の一点とカッター部５０のカッター６２の刃部６２ａとの間の距離のうち最も短い距離ａを例えば１５ｍｍ以上２５ｍｍ以下とし、本実施形態では２０ｍｍとしている。
距離ａが１５ｍｍよりも小さい場合には、テープＴをつまんで引き出すために、テープＴの外周とカッター部５０との間に指を入れる空間が確保できない。また、距離ａを２５ｍｍよりも大きくした場合には、テープリール７０の位置が上方に位置するため、テープＴを引き出す際や切断する際の反動や振動等によってテープカッター１０が倒れやすくなる。距離ａを１５ｍｍ以上２５ｍｍ以下とすることで、テープＴの外周とカッター部５０との間に指を入れる空間を確保するとともに、テープＴの引き出し時や切断時にテープカッター１０が倒れにくくなる。
【００５０】
また、脚部２０の一端側から他端側の長さを１５５ｍｍとした場合に、テープリール７０の軸芯から脚部２０の長さ方向に対して垂直方向に下ろした線と脚部２０の底面との交点Ｐと、脚部２０の長さ方向の一端との間の距離ｂを例えば３０ｍｍ以上としている。この構成により、テープカッター１０を床面Ｓに載置したときの安定を保つことができる。
【００５１】
また、カッター部５０のカッター６２の刃部６２ａの先端から脚部２０の長さ方向に対して垂直方向に下ろした線と脚部２０の底面との交点Ｑと、脚部２０の長さ方向の一端との間の距離ｃを、距離ｂより長くしている。この構成により、テープＴの切断時にテープカッター１０が倒れることを防いでいる。
【００５２】
さらに、カッター部５０のカッター６２の刃部６２ａの先端と、カッター６２の刃部６２ａの先端から脚部２０の長さ方向に対して垂直方向に下ろした線が脚部２０の上面と交わる点との距離ｄは例えば７０ｍｍ以上としている。この構成により、テープカッター１０によって切り取ることのできるテープＴの長さを確保している。
【００５３】
また、カッター側部５１Ａ，５１Ｂの先端５１ａをカッター６２の刃部６２ａの先端よりも突出させており、本実施形態では、その突出距離ｅを例えば４ｍｍとしている。この構成により、カッター６２の刃部６２ａに手が当たることを防いでいる。
【００５４】
なお、本実施形態では、前記角度αを５度以上とし、前記距離ａを２０ｍｍとし、前記距離ｂを３０ｍｍ以上とし、前記距離ｄを７０ｍｍ以上とし、前記突出距離ｅを４ｍｍとしているが、本発明はこれらの値に限定されるものではなく、本発明の趣旨を逸脱しない限りにおいて変更が可能である。
【００５５】
また、上述のテープカッター１０は、図２に示すように、射出成形で得られる第１及び第２のテープカッター構成体１１Ａ，１１Ｂを組み合わせることで形成される。
第１のテープカッター構成体１１Ａは、第１の脚部構成体２３Ａと、第１の支持部構成体３３Ａと、第１のリール取付部構成体４０Ａと、第１のカッター部構成体５３Ａとが射出成形により一体形成されており、第２のテープカッター構成体１１Ｂは、第２の脚部構成体２３Ｂと、第２の支持部構成体３３Ｂと、第２のリール取付部構成体４０ｃと、第２のカッター部構成体５３Ｂとが射出成形により一体形成されている。
【００５６】
第１及び第２の脚部構成体２３Ａ、２３Ｂは、脚部２０を幅方向に分割したものである。
第１の脚部構成体２３Ａは、第１の脚連結部半割体２２Ａと第１の脚片２１Ａとで形成され、第２の脚部構成体２３Ｂは、第２の脚連結部半割体２２Ｂと第２の脚片２１Ｂとで形成されている。第１及び第２の脚連結部半割体２２Ａ，２２Ｂは、脚連結部２２が幅方向に分割されたものである。
【００５７】
第１及び第２の支持部構成体３３Ａ，３３Ｂは、支持部３０が幅方向に分割されたものである。第１の支持部構成体３３Ａは、第１の支持側部３１Ａと第１の支持連結部半割体３２Ａで形成され、第２の支持部構成体３３Ｂは、第２の支持側部３１Ｂと第２の支持連結部半割体３２Ｂで形成されている。第１及び第２の支持連結部半割体３２Ａ，３２Ｂは支持部３０の支持連結部３２が幅方向に分割されたものである。第１の支持連結部半割体３２Ａは第１の脚連結部半割体２２Ａから延び、第２の支持連結部半割体３２Ｂは第２の脚連結部半割体２２Ｂから延びている。
【００５８】
第１及び第２のカッター部構成体５３Ａ，５３Ｂは、カッター部５０が幅方向に分割されたものである。第１のカッター部構成体５３Ａは、第１のカッター側部５１Ａと第１のカッター連結部半割体５２Ａで形成され、第２のカッター部構成体５３Ｂは、第２のカッター側部５１Ｂと第２のカッター連結部半割体５２Ｂで形成されている。第１及び第２のカッター連結部半割体５２Ａ，５２Ｂは、カッター部５０のカッター連結部５２が幅方向に分割されたものである。第１のカッター連結部半割体５２Ａは第１の支持連結部半割体３２Ａの先端部から延びている。第２のカッター側部５１Ｂは第２の支持側部３１Ｂの先端部から延び、第２のカッター連結部半割体５２Ｂは第２の支持連結部半割体３２Ｂの先端部から延びている。
【００５９】
第１の脚連結部半割体２２Ａと、第１の支持連結部半割体３２Ａと、第１のカッター連結部半割体５２Ａとには、それぞれ、第２の脚連結部半割体２２Ｂ、第２の支持連結部半割体３２Ｂ、第２のカッター連結部半割体５２Ｂに向けて開口する筒体２２ａ、３２ａ、５２ａが設けられ、第２の脚連結部半割体２２Ｂには、筒体２２ａ、３２ａ、５２ａに挿入される突起２２ｂ、３２ｂ、５２ｂが設けられている。
第１及び第２のテープカッター構成体１１Ａ，１１Ｂは、筒体２２ａ、３２ａ、５２ａと突起２２ｂ、３２ｂ、５２ｂにより結合されている。
【００６０】
前記構成によれば、第１及び第２のテープカッター構成体１１Ａ，１１Ｂは、それぞれ、第１及び第２の脚部構成体２３Ａ，２３Ｂと、第１及び第２の支持部構成体３３Ａ，３３Ｂと、第１及び第２のリール取付部構成体４０Ａ，４０Ｂと、第１及び第２のカッター部構成体５３Ａ，５３Ｂとが一体に形成されている。このため、各構成体２３Ａ，２３Ｂ、３３Ａ，３３Ｂ、４０Ａ，４０Ｂ、５３Ａ，５３Ｂとをそれぞれ別体として組み立てる場合に比べ、部品点数を少なくすることができる。
また、テープカッターを一体物として射出成形するのではなく、テープカッター１０の部品である第１及び第２のテープカッター構成体１１Ａ，１１Ｂをそれぞれ射出成形し、これらを組み立てることでテープカッター１０を形成しているので、射出成形に用いる金型を簡易なものとすることができる。
【００６１】
以上、本発明の一実施形態について説明したが、本発明は上記実施形態に限定されるものではなく、本発明の趣旨を逸脱しない限りにおいて種々の変更が可能である。
図６、図７は本発明の変形例を示すテープカッター１０の側面図である。これらの変形例では、支持部３０が延びる方向、リール取付部４０が延びる方向、あるいは脚部２０から支持部３０が延びる位置が本実施形態とは異なっており、以下にこの相違点について説明する。他の構成は図１に示す本実施形態と同様であるため、説明を省略する。
なお、図６，７については、説明の便宜のために、脚部２０、支持部３０、リール取付部４０、テープリール７０、カッター部５０等を簡略化して示している。
【００６２】
図６（ａ）においては、リール取付部４０は支持部３０の延長線上に沿って脚部２０の長さ方向の他端側に傾いて延びている。
図６（ｂ）においては、支持部３０は脚部２０の長さ方向に対して垂直方向に延びている。
図６（ｃ）においては、支持部３０は脚部２０の長さ方向に対して垂直方向に延びているとともに、リール取付部４０が、脚部２０の長さ方向の他端側に傾いて延びている。
【００６３】
図７（ａ）においては、支持部３０は、脚部２０の長さ方向の一端側の途中位置から延びている。
図７（ｂ）においては、支持部３０は、脚部２０の長さ方向の一端側の途中位置から延び、リール取付部４０は支持部３０の延長線上に沿って脚部２０の長さ方向の他端側に傾いて延びている。
図７（ｃ）においては、支持部３０は、脚部２０の長さ方向の一端側の途中位置から、脚部２０の長さ方向に対して垂直方向に延びている。
図７（ｄ）においては、支持部３０は、脚部２０の長さ方向の一端側の途中位置から、脚部２０の長さ方向に対して垂直方向に延びているとともに、リール取付部４０は脚部２０の長さ方向の他端側に傾いて延びている。
【００６４】
図６（ｂ）、図６（ｃ）、図７（ｃ）、図７（ｄ）のように、支持部３０が脚部２０の長さ方向に対して垂直方向に延びている場合には、リール取付部４０及びカッター部５０は脚部２０の長さ方向の一端側に位置するため、テープＴをつまむ手が位置する空間を脚部２０の上方に広く確保することができ、テープＴの引き出しや切断を容易に行うことができる。
また、図６（ａ）、図６（ｃ）、図７（ｂ）、図７（ｃ）のように、リール取付部４０が支持部３０の延長線上に沿って延びている場合には、テープカッター１０の構造が簡単となる。
さらに、図７のように、支持部３０が脚部２０の長さ方向の一端側の途中位置から延びる場合には、支持部３０が延びる脚部２０の位置よりもさらに一端側に脚部２０が配置されているため、テープＴの引き出し時や切断時にテープカッター１０が一端側に倒れにくくなる。
【００６５】
また、脚部２０の構成は本実施形態に限定されるものではなく、脚部２０は二股状に分岐した一対の脚片から構成されてもよい。この場合、支持部３０は脚部２０の分岐点から延びる。
さらに、脚部２０は、略矩形状の平板から構成されてもよい。
【００６６】
また、カッター６２をカッター部５０に保持する手段としては本実施形態に限定されるものではなく、カッター６２をカッター連結部５２に接着してもよく、ネジ止めでもよく、その他の手段であってもよい。
【００６７】
さらに、第１及び第２のテープカッター構成体１１Ａ，１１Ｂを結合する手段は本実施形態の筒体２２ａ、３２ａと突起２２ｂ、３２ｂに限定されず、第１及び第２のテープカッター構成体１１Ａ，１１Ｂを接着により結合してもよく、その他の手段で結合してもよい。
【００６８】
また、本実施形態では、各リール取付部構成体４０Ａ，４０Ｂの内側壁４０ｂに形成された切込み部４１は、内側壁４０ｂの一端側が開口したガイド切込み４１ａを備えているが、本実施形態には限定されず、内側壁４０ｂの上方が開口し、下方に延びるガイド切り込みと、ガイド切り込みの下方からさらに下方に延びる半円状の支持切り込みとを備えていてもよい。
【００６９】
さらに、本実施形態では支持部３０の支持連結部３２の内部に錘収容部３４を形成しているが、本実施形態に限定されるものではなく、脚部２０の脚連結部２２の内部や、脚片２１Ａ，２１Ｂの内部に錘収容部を形成してもよい。
また、本実施形態ではリール取付部構成体４０Ａ，４０Ｂやカッター部５０は支持部３０の先端部から延びているが、本実施形態に限定されるものではなく、リール取付部構成体４０Ａ，４０Ｂやカッター部５０が支持部３０の途中位置から延びてもよい。
【符号の説明】
【００７０】
１０  テープカッター
２０  脚部
２１Ａ，２１Ｂ  第１及び第２の脚片
２２  脚連結部
２２Ａ，２２Ｂ  第１及び第２の脚連結部半割体
２３Ａ，２３Ｂ  第１及び第２の脚部構成体
３０  支持部
３１Ａ，３１Ｂ  第１及び第２の支持側部
３２  支持連結部
３２Ａ，３２Ｂ  第１及び第２の支持連結部半割体
３３Ａ，３３Ｂ  第１及び第２の支持部構成体
３４  錘収容部
４０  リール取付部
４０Ａ，４０Ｂ  第１及び第２のリール取付部構成体
４１  受け溝
５０  カッター部
５１Ａ，５１Ｂ  第１及び第２のカッター側部
５２  カッター連結部
５３Ａ，５３Ｂ  第１及び第２のカッター部構成体
６１  錘
６２  カッター
７０  テープリール
７１  大巻リール
７２  小巻リール
７３  小巻リール係止部
Ａ  テープリールの軸芯と脚部の長さ方向の他端部とを結ぶ線
Ｂ  テープリールの軸芯とカッター部の先端部とを結ぶ線
Ｔ  テープ
【図１】
2016016936.tif 000003
【図２】
2016016936.tif 000004
【図３】
2016016936.tif 000005
【図４】
2016016936.tif 000006
【図５】
2016016936.tif 000007
【図６】
2016016936.tif 000008
【図７】
2016016936.tif 000009
【図８】
2016016936.tif 000010